(57)【要約】  本発明に係る情報記録媒体（１）は、Ｌ０層およびＬ０層とはフォーマットが異なるＬ１層を有しており、Ｌ０層の制御情報領域（１２）には、Ｌ０層に対して許容される記録再生装置の動作を規定している制御情報であるＡＣ０が記録されており、Ｌ１層の制御情報領域（１３）には、Ｌ１層に対して許容される記録再生装置の動作を規定している制御情報であるＡＣ１が記録されている。書き込み可能な記録層であるＬ０層には、Ｌ１層に記録されているＬ１層の制御情報であるＡＣ１を記録するための制御情報記録領域（１４）が設けられている。これにより、記録再生時の迅速かつ適切な制御を可能とする情報記録媒体、記録再生装置、および記録再生方法を提供する。
2009044725.tif 000002
【特許請求の範囲】
【請求項１】
複数の記録層を有している情報記録媒体であって、
前記複数の記録層の各々には、自層に対して許容される記録再生装置の動作を規定している制御情報が記録されており、
前記複数の記録層のうち、書き込み可能な第１の記録層には、該第１の記録層とはフォーマットが異なる第２の記録層に記録されている前記制御情報を記録するための制御情報記録領域が、設けられていることを特徴とする情報記録媒体。
【請求項２】
前記第２の記録層に記録されている制御情報は、前記第２の記録層に複数の領域を設定し、該領域ごとに許容される前記記録再生装置の動作を規定している情報であることを特徴とする請求の範囲第１項に記載の情報記録媒体。
【請求項３】
前記第２の記録層に記録されている制御情報は、記録再生装置を識別するための識別情報と、該記録再生装置に対して許容する動作を該識別情報と関連づけて規定する動作情報とを含むことを特徴とする請求の範囲第１項に記載の情報記録媒体。
【請求項４】
複数の記録層を有しており、該複数の記録層の各々には、該記録層に対して許容される自装置の動作を規定している制御情報が記録されており、該複数の記録層のうち、書き込み可能な第１の記録層には、該第１の記録層とはフォーマットが異なる第２の記録層に記録されている該制御情報を記録するための制御情報記録領域が設けられている情報記録媒体の記録再生装置であって、
前記制御情報記録領域に、前記第２の記録層の制御情報が記録されているか否かを判定する判定手段と、
前記第２の記録層の制御情報が、前記制御情報記録領域に記録されていない場合に、前記第２の記録層の制御情報を、前記制御情報記録領域に記録する記録手段とを備えていることを特徴とする記録再生装置。
【請求項５】
複数の記録層を有しており、該複数の記録層の各々には、該記録層に対して許容される記録再生装置の動作を規定している制御情報が記録されており、該複数の記録層のうち、書き込み可能な第１の記録層には、該第１の記録層とはフォーマットが異なる第２の記録層に記録されている該制御情報を記録するための制御情報記録領域が設けられている情報記録媒体に対して該制御情報の記録をおこなう情報記録方法であって、
前記制御情報記録領域に、前記第２の記録層の制御情報が記録されているか否かを判定する判定工程と、
前記判定工程において、前記第２の記録層の制御情報が記録されていないと判定した場合に、前記第２の記録層の制御情報を、前記制御情報記録領域に記録する記録工程とを含むことを特徴とする情報記録方法。
【発明の詳細な説明】
【技術分野】
【０００１】
本発明は、情報記録媒体、記録再生装置、および情報記録方法に関し、特に、複数の記録層を有し、制御情報が記録されている情報記録媒体、その情報記録媒体の記録再生装置、およびその情報記録媒体の制御情報を記録する情報記録方法に関する。
【背景技術】
【０００２】
近年、画像情報および音声情報をはじめとする各種の情報がデジタル化されるにつれて、デジタル情報の量が飛躍的に増大してきている。これに伴い、大容量化および高密度化に適した光ディスクおよび光ディスク記録再生装置などの開発が進められている。【０００３】
大容量化の一手法として、複数の記録層を積層した光ディスクがある。このような光ディスクとして、たとえば、特許文献１に記載されている光ディスクが挙げられる。【０００４】
また、光ディスク記録再生装置が光ディスクに対しておこなう動作を、光ディスクが適切に制御するための技術の開発も進められている。光ディスク記録再生装置の動作を、光ディスクが適切に制御するために、光ディスクには、光ディスク自身に関する様々な情報が記録されている。以下、図１０、および図１１に基づき、光ディスクに記録されている情報、および光ディスクに設けられている情報の記録領域に関する従来技術について説明する。【０００５】
図１０は、複数の記録層を有する光ディスク２０の構成と、光ディスク２０に含まれる各記録層の構成とを模式的に示す図である。光ディスク２０は、互いにフォーマットが異なる２つの記録層（Ｌ０層、Ｌ１層）を有している。Ｌ０層は、書換え可能な記録層であり、Ｌ１層は、再生専用層である。【０００６】
Ｌ０層およびＬ１層のどちらにも、システム情報が記録されているシステム情報領域２１が設けられている。Ｌ０層には、システム情報領域２１のほかに、ＤＭＡ（ｄｅｆｅｃｔ  ｍａｎａｇｅｍｅｎｔ  ａｒｅａ：欠陥管理領域）、ＳＡ（ｓｐａｒｅ  ａｒｅａ：交替領域）、および、ＲＡＭ（ｒａｎｄｏｍ  ａｃｃｅｓｓ  ｍｅｍｏｒｙ）領域が設けられている。また、Ｌ１層には、システム情報領域２１のほかに、ＲＯＭ（ｒｅａｄ−ｏｎｌｙ  ｍｅｍｏｒｙ）領域が設けられている。【０００７】
システム情報領域２１に記録されているシステム情報には、光ディスク２１の記録条件および再生条件などの情報、また、Ｌ０層およびＬ１層の各層のフォーマットに関する情報などが含まれている。【０００８】
ＳＡは、傷その他の欠陥などにより記録不能となった記録領域の代わりに情報を記録する、すなわち交替処理により情報を記録するための領域である。【０００９】
ＤＭＡは、傷その他の欠陥などにより記録不能となった記録領域のアドレスを記録したり、交替領域のアドレスを記録したりして欠陥管理をおこなうための情報、すなわち交替処理に用いる管理情報を記録する領域である。【００１０】
Ｌ０層は書換え可能な記録層なので、記録領域を有している。このため欠陥などにより記録ができなくなった場合には、交替処理が必要となる。一方、Ｌ１層は新たな書き込みができないため、交替処理が必要とならない。そのため、ＤＭＡおよびＳＡなどの交替処理に関する領域は、書換え可能な記録層であるＬ０層にのみ存在する。【００１１】
ＲＡＭ領域は、新たに情報を書き込むことのできる記録領域である。一方、ＲＯＭ領域は、すでに記録されている情報を再生するために用いられる領域である。ＲＯＭ領域には、新たに情報を書き込むことはできない。【００１２】
図１１は、システム情報の一例として、フォーマットに関する情報を示す図である。Ｎ＿ＬＡＹＥＲは層数を示している。図１０の光ディスク２０においては、Ｎ＿ＬＡＹＥＲは２である。ＦＯＲＭＡＴ  ０は、Ｌ０層のフォーマット情報を示す。Ｌ０層は、書換え可能な記録層なので、ＦＯＲＭＡＴ  ０には、書換え可能であることを示す情報が含まれている。さらに、フォーマットを規定している規格書（ブック）のバージョンおよび記録密度などの情報であってもよい。以下、ＦＯＲＭＡＴ  １からＦＯＲＭＡＴ  Ｎ−１まで同様に、各層のフォーマットに関する情報が記録されている。これらの情報は書換えが不要であるため、再生のみが可能なピットやウォブルなどの構造として記録されている。【００１３】
また、特許文献２には、システム情報のほかに光ディスクに記録されている情報として、特にドライブおよび媒体が多くの異なる製造業者により提供される場合に利用される、アクセス制御（ＡＣ）ディスク制御ブロックと呼ばれるデータ構造が記載されている。ＡＣディスク制御ブロックは、ディスクを多数のセクションへと区画化するために利用可能なものである。ＡＣディスク制御ブロックは、区画化された各セクションに、追記型、ならびにパスワードを伴う読み出し専用といったアクセス属性、またはその他の同様のアクセス制御を定義する。
【特許文献１】日本国公開特許公報「特開２００７−２６６１７号公報（公開日：２００７年２月１日）」
【特許文献２】日本国公開特許公報「特開２０００−３２２８４１号公報（公開日：２０００年１１月２４日）」
【発明の開示】
【００１４】
光ディスクの大容量化のために記録層を積層する際に、アクセス制御情報領域（ＡＣディスク制御ブロック）を、各層にどのように配置するかということに関しては、これまで考えられていない。仮に、各層のアクセス制御情報が、それぞれの層にのみ記録されているとする。この場合には、各層に記録されているアクセス制御情報を読み取るために、光スポット位置を移動させる、いわゆる層間ジャンプ、およびシーク動作が必要となる。そのため、読み取りに時間がかかり、ディスクの記録再生装置への挿入時の装置の立上げに時間がかかるといった問題が生じ得る。
【００１５】
本発明は、上記の問題点に鑑みてなされたものであり、その目的は、複数の記録層を有する情報記録媒体であって、記録再生装置の迅速かつ適切な制御を可能とする情報記録媒体を提供することにある。また、このような記録媒体に対して迅速かつ適切な制御が可能となる情報記録媒体の記録再生装置、および情報記録媒体の情報記録方法を提供することにある。
【００１６】
本発明に係る情報記録媒体は、上述した問題を解決するために、複数の記録層を有している情報記録媒体であって、前記複数の記録層の各々には、自層に対して許容される記録再生装置の動作を規定している制御情報が記録されており、前記複数の記録層のうち、書き込み可能な第１の記録層には、該第１の記録層とはフォーマットが異なる第２の記録層に記録されている前記制御情報を記録するための制御情報記録領域が、設けられていることを特徴とする。
【００１７】
各記録層に記録されている制御情報は、自層に対して記録再生装置が許容される情報記録媒体に対する動作を規定している。したがって、記録再生装置は、情報記録媒体の各記録層の制御情報を予め読み取る必要がある。
【００１８】
前記構成によれば、書き込み可能な記録層である第１の記録層には、第１の記録層とは異なる第２の記録層の制御情報を記録するための制御情報記録領域が設けられている。そのため、第２の記録層の制御情報を、制御情報記録領域に記録することができる。制御情報記録領域に、第２の記録層の制御情報が記録されれば、第１の記録層を読み取るだけで、第２の記録層に関する制御情報を読み取ることができる。すなわち、第２の記録層の制御情報を読み取る際に、第２の記録層に光スポットを移動させる必要がなくなる。したがって、複数の記録層の制御情報の取得に要する時間を短縮することができる。
【００１９】
さらに本発明の情報記録媒体においては、前記構成に加えて、前記第２の記録層に記録されている制御情報は、前記第２の記録層に複数の領域を設定し、該領域ごとに許容される前記記録再生装置の動作を規定している情報であることが好ましい。
【００２０】
前記構成によれば、記録層を複数の領域に分割し、記録再生装置に許容する動作を領域ごとに規定することができる。すなわち、記録および再生などの記録再生装置の動作について、領域ごとに、許容するか否かを規定することができる。領域ごとに許容する動作を変えることにより、記録再生装置は領域ごとに異なる動作を実行することになる。また記録再生装置の動作が許容される領域と許容されない領域とを、記録層ごとに設定することができる。
【００２１】
さらに本発明の情報記録媒体においては、前記構成に加えて、前記第２の記録層に記録されている制御情報は、記録再生装置を識別するための識別情報と、該記録再生装置に対して許容する動作を該識別情報と関連づけて規定する動作情報とを含むことが好ましい。
【００２２】
前記構成によれば、情報記録媒体は、記録層に記録されている記録再生装置の識別情報に基づき、記録層に対して記録再生装置に許容する動作を規定する。これにより、記録再生装置は、情報記録媒体に対して、許容された動作のみを実行することになる。したがって、情報記録媒体と記録再生装置が適合しない、すなわちドライブ相性が合わないために、情報記録媒体、情報記録媒体に記録された情報および記録再生装置の破損といった重大な支障が生じることを回避することができる。
【００２３】
本発明に係る記録再生装置は、上述した問題を解決するために、複数の記録層を有しており、該複数の記録層の各々には、該記録層に対して許容される自装置の動作を規定している制御情報が記録されており、該複数の記録層のうち、書き込み可能な第１の記録層には、該第１の記録層とはフォーマットが異なる第２の記録層に記録されている該制御情報を記録するための制御情報記録領域が設けられている情報記録媒体の記録再生装置であって、前記制御情報記録領域に、前記第２の記録層の前記制御情報が記録されているか否かを判定する判定手段と、前記第２の記録層の制御情報が、前記制御情報記録領域に記録されていない場合に、前記第２の記録層の制御情報を、前記制御情報記録領域に記録する記録手段とを備えていることを特徴とする。
【００２４】
また、本発明に係る情報記録方法は、上述した問題を解決するために、複数の記録層を有しており、該複数の記録層の各々には、該記録層に対して許容される記録再生装置の動作を規定している制御情報が記録されており、該複数の記録層のうち、書き込み可能な第１の記録層には、該第１の記録層とはフォーマットが異なる第２の記録層に記録されている該制御情報を記録するための制御情報記録領域が設けられている情報記録媒体に対して該制御情報の記録をおこなう情報記録方法であって、前記制御情報記録領域に、前記第２の記録層の制御情報が記録されているか否かを判定する判定工程と、前記判定工程において、前記第２の記録層の制御情報が記録されていないと判定した場合に、前記第２の記録層の制御情報を、前記制御情報記録領域に記録する記録工程とを含むことを特徴とする。
【００２５】
前記構成および方法によれば、複数の記録層を有し、かつ、各記録層には、記録層に対して許容される記録再生装置の動作を規定している制御情報が記録されている情報記録媒体に対し、書き込みが可能な記録層である第１の記録層の制御情報記録領域に、第１の記録層とは異なる第２の記録層の制御情報が記録されているか否かを判定し、記録されていない場合には、第２の記録層の制御情報を、第１の記録層に記録する。
【００２６】
これにより、情報記録媒体の第１の記録層には、第２の記録層の制御情報も記録されることになる。第２の記録層の制御情報が第１の記録層に記録されていれば、第１の記録層を読み取るだけで、第２の記録層の制御情報も取得することができる。したがって、第２の記録層の制御情報を、第１の記録層の制御情報記録領域に記録した後は、第１の記録層に記録された情報を読み取るだけで、第２の記録層に関する制御情報を読み取ることができる。すなわち、第２の記録層に光スポットを移動させる必要がなくなる。したがって、複数の記録層の制御情報の取得に要する時間を短縮することができる。
【００２７】
本発明の他の目的、特徴、および優れた点は、以下に示す記載によって十分分かるであろう。また、本発明の利点は、添付図面を参照した次の説明で明白になるであろう。
【図面の簡単な説明】
【００２８】
【図１】本発明の一実施形態における情報記録媒体に記録された情報の記録領域を示す模式図である。
【図２】情報記録媒体に記録されたシステム情報の内容を示す模式図である。
【図３】情報記録媒体に記録されたアクセス制御情報の内容を示す模式図である。
【図４】情報記録媒体に記録された図３に示すアクセス制御情報におけるＵ＿ＡＣＴＩＯＮの内容を示す模式図である。
【図５】情報記録媒体に記録された図３に示すアクセス制御情報におけるＡＣＴＩＯＮの内容を示す模式図である。
【図６】本発明の一実施形態における記録再生装置の構成の概要を示すブロック図である。
【図７】記録再生装置の動作を示すフローチャートである。
【図８】本発明の他の実施形態における情報記録媒体に記録された情報の記録領域を示す模式図である。
【図９】情報記録媒体に記録されたドライブ相性情報の内容を示す模式図である。
【図１０】従来の情報記録媒体に記録された情報の記録領域を示す模式図である。
【図１１】従来の情報記録媒体に記録されたシステム情報の内容を示す模式図である。
【符号の説明】
【００２９】
１      光ディスク（情報記録媒体）
２      ピックアップ（記録手段）
３      再生回路
４      復号回路
５      記録・再生制御回路（記録手段）
６      サーボ回路
７      制御回路（判定手段、記録手段）
１０    光ディスク記録再生装置（記録再生装置）
１１    システム情報領域
１２、１３    アクセス制御情報領域
１４    アクセス制御情報記録領域（制御情報記録領域）
１５、１６    ドライブ相性情報領域
１７    ドライブ相性情報記録領域（制御情報記録領域）
２０    光ディスク
２１    システム情報領域
【発明を実施するための最良の形態】
【００３０】
〔実施の形態１〕
本発明に係る情報記録媒体の一実施形態について、図１から図７に基づいて説明すれば以下の通りである。以下、情報記録媒体として光ディスクについて説明するが、本発明の情報記録媒体は光ディスクに限定されるものではない。【００３１】
まず、本発明の一実施形態である光ディスク（情報記録媒体）に記録される各種情報について、図１を用いて説明する。【００３２】
図１は、複数の記録層を有する光ディスクの構成と、光ディスクに含まれる各記録層の構成とを模式的に示す図である。図１に示すように、光ディスク１は、互いにフォーマットが異なるＬ０層（第１の記録層）およびＬ１層（第２の記録層）の２つの記録層を積層しており、読み取りのためのレーザ光を入射する側からＬ１層、およびＬ０層が配置されている。Ｌ０層は書き込み可能な記録層であり、Ｌ１層は、再生専用の記録層である。用いることのできる書き込み可能な記録層としては、たとえば、ライトワンス層、書換え可能層、およびＲＡＭ層などが挙げられる。本実施形態においては、書換え可能層を用いている。また、Ｌ０層およびＬ１層のいずれの記録層も、同一の光学系、およびレーザ光波長により記録再生が可能であるものとする。【００３３】
以下、各記録層に設けられた領域および記録される情報について説明する。【００３４】
光ディスク１のＬ０層には、システム情報領域１１、アクセス制御情報領域１２、アクセス制御情報記録領域（制御情報記録領域）１４、ＤＭＡ、ＳＡ、および記録領域が設けられており、Ｌ１層には、システム情報領域１１、アクセス制御情報領域１３、およびＲＯＭ領域が設けられている。【００３５】
システム情報領域１１には、システム情報が記録されている。システム情報には、たとえば、記録再生条件などの情報が含まれている。また、Ｌ０層、およびＬ１層の各層のフォーマットに関する情報も含まれている。【００３６】
図２は、システム情報に記録されているフォーマット情報の一例を示す図である。【００３７】
Ｎ＿ＬＡＹＥＲは、光ディスクの層数を示す。ＦＯＲＭＡＴ  ０はＬ０層のフォーマットを表す。以下、ＦＯＲＭＡＴ  １からＦＯＲＭＡＴ  Ｎ−１に、それぞれ、Ｌ１層からＬ（Ｎ−１）層のフォーマット情報が記録されている。【００３８】
本実施形態の光ディスク１においては、Ｎ＿ＬＡＹＥＲは２である。また、Ｌ０層は書換え可能な記録層なので、ＦＯＲＭＡＴ  ０は、書換え可能であることを示す情報である。このほかにも、フォーマットを規定している規格書（ブック）のバージョン、および記録密度などの情報であってもよい。Ｌ１層は書換えができない記録層、すなわち、再生専用の記録層なので、ＦＯＲＭＡＴ  １は、再生専用であることを示す情報である。【００３９】
これらの情報は書換えが不要であるため、再生のみが可能なピットやウォブルなどの構造として記録されている。【００４０】
Ｌ０層、およびＬ１層の各層に記録されているシステム情報は、全て同一のものである。このため、いずれか１層の情報が読み取り不能となっても、他の記録層の情報により代替可能である。【００４１】
ＳＡは、傷その他の欠陥などにより記録不能となった記録領域の代わりに情報を記録する、すなわち交替処理により情報を記録するための領域である。【００４２】
ＤＭＡは、欠陥や傷により記録不能となった記録領域のアドレスを記録したり、交替領域（ＳＡ）のアドレスを記録したりして欠陥管理をおこなうための情報、すなわち、交替処理に用いる管理情報を記録する領域である。ＤＭＡは複数配置されていてもよい。【００４３】
Ｌ０層は書換えが可能な記録層なので、記録領域を有している。このため欠陥などにより記録不能となった場合には、交替処理が必要となる。一方、Ｌ１層は書換えの可能な記録領域を含んでいないため、交替処理をおこなう必要がなく、ＤＭＡおよびＳＡは不要である。そのため、Ｌ１層には、ＤＭＡおよびＳＡが設けられていない。【００４４】
Ｌ０層のアクセス制御情報領域１２には、Ｌ０層のアクセス制御情報（制御情報）であるＡＣ（Ａｃｃｅｓｓ  Ｃｏｎｔｒｏｌ）０が記録されている。また、Ｌ１層のアクセス制御情報領域１３には、Ｌ１層のアクセス制御情報であるＡＣ１が記録されている。アクセス制御情報とは、各層へのアクセスを制御するための情報である。アクセスの制御とは、具体的には、各層の各部への記録および再生の許可、禁止を制御することをいう。すなわち、アクセス制御情報とは、記録層に複数の領域を設定し、該領域ごとに許容される光ディスク記録再生装置の動作を規定している情報である。【００４５】
アクセス制御が有用な場合としては、たとえば、新バージョンの規格に対する、過去に発売した光ディスク記録再生装置（以下、旧装置と記載する）の動作を規定する場合が考えられる。旧装置は新バージョンの規格に対応していない場合が想定される。しかしながら、そのような場合であっても、光ディスクの全領域に対して記録および再生を禁止することは必ずしも必要ない。したがって、このような場合には、旧装置に対する、記録および再生の禁止、許可を領域ごとに規定し、領域ごとに制御するための情報が有用である。【００４６】
このような用途では、図２に示すような、各層のフォーマット情報、およびそのバージョン情報のみでは不十分であり、より詳細なアクセス制御情報が必要となる。また、フォーマットの異なる複数の記録層を有する光ディスクにおいては、フォーマットによってバージョンの更新時期が異なるため、それぞれの記録層に対して異なるアクセス制御情報が必要である。【００４７】
図３は、ＡＣ０に記録されているアクセス制御情報の一例を示す図である。【００４８】
ＡＣ＿ＩＤは、光ディスク記録再生装置がアクセス制御情報を識別するための識別子である。本実施形態では、ＡＣ＿ＩＤとして文字列“ＲＥ”を用いている。Ｌ０層は書換え可能な層であるので、“ＲＥ”は、それに適合する識別子である。【００４９】
Ｕ＿ＡＣＴＩＯＮは、ＡＣ＿ＩＤを光ディスク記録再生装置が認識できない場合に、光ディスク記録再生装置が取り得る動作を規定するものである。すなわち、ＡＣ＿ＩＤが“ＲＥ”である場合の動作を認識できない光ディスク記録再生装置は、このＵ＿ＡＣＴＩＯＮに規定されている動作内容にしたがって、記録再生動作をおこなう。【００５０】
ＡＣＴＩＯＮは、ＡＣ＿ＩＤを光ディスク記録再生装置が認識できる場合に、光ディスク記録再生装置の取り得る動作を規定するものである。すなわち、ＡＣ＿ＩＤが“ＲＥ”である場合の動作を認識した光ディスク記録再生装置は、このＡＣＴＩＯＮに規定されている動作内容にしたがって、記録再生動作をおこなう。【００５１】
図４は、Ｕ＿ＡＣＴＩＯＮに規定されている内容の一例を示す図である。【００５２】
ここでは、Ｌ０層をＺＯＮＥ１からＺＯＮＥ４までの４つの領域に分割し、それぞれの領域について、光ディスク記録再生装置に対して記録および再生動作が許可されているか否かが示されている。「１」が許可を示し、「０」が禁止を示している。図４に示す例においては、ＺＯＮＥ１に対しては、記録も再生も許可されている。また、ＺＯＮＥ２に対しては、再生のみが許可されている。一方、ＺＯＮＥ３およびＺＯＮＥ４に対しては、記録も再生も禁止されている。【００５３】
図５は、ＡＣＴＩＯＮに規定されている内容の一例を示す図である。【００５４】
Ｕ＿ＡＣＴＩＯＮと同様に、Ｌ０層を４つの領域に分割し、それぞれの領域について、光ディスク記録再生装置に対して記録および再生動作が許可されているか否かが示されている。図５に示す例においては、ＺＯＮＥ１からＺＯＮＥ４までの全ての領域に「１」が記録されており、全ての領域に対して、記録も再生も許可されている。【００５５】
上述したように、アクセス制御情報に含まれるＡＣ＿ＩＤを認識できる光ディスク記録再生装置においては、ＡＣＴＩＯＮに規定されている記録動作および再生動作が可能であり、認識できない光ディスク記録再生装置においては、Ｕ＿ＡＣＴＩＯＮに規定されている記録動作および再生動作が可能である。【００５６】
Ｌ１層のアクセス制御情報領域に記録されているＡＣ１も、ＡＣ０と同様に、図３に示した項目と同一の項目を含んでいる。ただし、Ｌ１層は再生専用層であるため、記録されている情報自体はＡＣ０とは異なっている。たとえば、ＡＣ＿ＩＤとしては、文字列“ＲＯ”が記録されている。“ＲＯ”は再生専用層に適合する識別子である。また、Ｕ＿ＡＣＴＩＯＮ、およびＡＣＴＩＯＮにも、それぞれ適切な情報が記録されている。たとえば、Ｌ１層は再生専用層であるため、記録動作に対しては、ＺＯＮＥ１からＺＯＮＥ４の全ての領域において「０」が記録されており、全領域に対して記録禁止となっている。一方、再生の禁止および許可は、領域ごとに任意の情報が記録されている。【００５７】
Ｌ０層には、Ｌ０層以外の記録層のアクセス制御情報を記録するためのアクセス制御情報記録領域１４が設けられている。アクセス制御情報記録領域１４は、ＡＣ０が記録されているアクセス制御領域１２に近接した位置に設けられている。光ディスク記録再生装置の動作において、アクセス制御に関する情報は不可欠であり、光ディスク記録再生装置はＡＣ０およびＡＣ１の両方を読み取る必要がある。ＡＣ０が記録されている領域の近傍の領域にＡＣ１が記録されれば、以後、ＡＣ０およびＡＣ１を迅速に読み取ることができる。【００５８】
アクセス制御情報記録領域１４には、１層あたりのアクセス制御情報の情報量が３２クラスタである場合に、１つの異なるフォーマット層につき３２クラスタの大きさの領域が確保されていることが好ましい。またアクセス制御情報記録領域１４には、３２クラスタの大きさの領域が、異なるフォーマットの層数より１少ない数だけ確保されていることが好ましい。具体的には、本実施の形態においては、異なるフォーマットの層数は２なので、アクセス制御情報記録領域１４として３２クラスタの領域が確保されている。異なるフォーマットを３層含む光ディスクであれば、アクセス制御情報記録領域１４として６４クラスタの領域が確保されている。この場合には、ＡＣ０が記録されている領域、およびＡＣ１を記録する領域に近接して、３層目のアクセス制御情報を記録する領域が設けられている。なお、１クラスタは、記録再生可能な最小の情報量を表している。【００５９】
アクセス制御情報記録領域１４の配置位置および大きさに関する情報は、規格書に規定されている。そのため、光ディスク記録再生装置は、アクセス制御情報記録領域１４に対して、常に適切な処理を実行できる。したがって、アクセス制御情報記録領域１４に、他の情報が記録されるようなことはない。【００６０】
ＡＣ１を記録する領域がＬ０層に設けられていない場合には、ＡＣ１をＬ０層に記録することができない。したがって、Ｌ１層のどの領域に対して、再生および記録が許可されているのかを光ディスク記録再生装置が認識するためには、Ｌ１層に記録されたＡＣ１を読み取る必要がある。そのためには、光スポット位置を他の層に移動させる、いわゆる層間ジャンプをおこない、ＡＣ１が記録された領域にシークしなければならない。したがって全ての層のアクセス制御情報を読み取るのに時間がかかる。【００６１】
これに対し、ＡＣ１を記録するためのアクセス制御情報記録領域１４がＬ０層に設けられている光ディスク１においては、Ｌ１層のアクセス制御情報領域１３から読み取ったＡＣ１を、アクセス制御情報記録領域１４に記録させることができる。たとえば、光ディスク１が光ディスク記録再生装置に最初に挿入されたときに、ＡＣ１がＬ１層から読み取られ、読み取ったＡＣ１をＬ０層のアクセス制御情報記録領域１４に記録する。Ｌ０層にＡＣ１の情報が記録された後は、Ｌ０層に記録されたＡＣ１を読み取れば、Ｌ１層に記録されているＡＣ１を読み取る必要がない。これにより、光ディスク記録再生装置が各記録層に対するアクセス制御情報を読み取る際に、層間ジャンプおよびシーク動作が不要となる。そのため、短時間で、各記録層のアクセス制御情報を読み取ることが可能となる。特に、光ディスク記録再生装置に光ディスクが挿入されたときに、常にＬ０層を最初に読み取るようにしておけば、挿入直後に最初に読み取るＬ０層に全てのアクセス制御情報が存在するので、この効果はより顕著なものとなる。【００６２】
本実施の形態においては、２つの記録層を有する光ディスク１について説明したが、３つ以上の記録層を有する光ディスクに対しても適用可能である。この場合には、各層のアクセス制御情報に対応する複数のアクセス制御情報記録領域をＬ０層に配置すればよい。【００６３】
なお、光ディスク１のアクセス制御情報記録領域１４は、製造直後は、何の情報も記録されていない未記録の状態となっている。【００６４】
〔実施の形態２〕
本発明に係る情報記録媒体の他の実施形態について、図８および図９に基づいて説明すれば、以下の通りである。なお、本実施の形態において説明すること以外の構成は、実施の形態１と同じであり、その説明を省略する。【００６５】
図８は、光ディスク１のＬ０層、およびＬ１層それぞれの記録層に記録される各種情報の記録領域を模式的に表す図である。Ｌ０層とＬ１層は互いに異なるフォーマットを採用している。Ｌ０層は書換え可能な記録層であり、Ｌ１層は、再生専用層である。【００６６】
以下、各層に設けられた領域および記録されている情報について説明する。【００６７】
光ディスク１のＬ０層には、システム情報領域１１、ドライブ相性情報領域１５、ドライブ相性情報記録領域（制御情報記録領域）１７、ＤＭＡ、ＳＡ、およびＲＡＭ領域が設けられており、Ｌ１層には、システム情報領域１１、ドライブ相性情報領域１６、およびＲＯＭ領域が設けられている。アクセス制御情報領域およびアクセス制御情報記録領域の代わりに、ドライブ相性情報領域およびドライブ相性情報記録領域が設けられている点において、実施の形態１に示した光ディスクと異なっている。【００６８】
Ｌ０層のドライブ相性情報領域１５には、Ｌ０層のドライブ相性情報（制御情報）であるＤＤ０が記録されている。Ｌ１層のドライブ相性情報領域１６には、Ｌ１層のドライブ相性情報であるＤＤ１が記録されている。ドライブ相性情報とは、光ディスク１と光ディスク記録再生装置との相性を示す情報である。一般的に、相性が合わないといった場合には、記録または再生の条件が適合しないため、再生した情報にエラーが多いという場合がある。しかし、本発明で用いるところの相性とは、光ディスクに対して、ある特定の光ディスク記録再生装置を用いて、記録または再生をおこなった場合に、光ディスク自体、または光ディスクに記録されている情報を破壊したり、もしくは、光ディスク記録再生装置を破壊したりしてしまうような重大な支障が生じるか否かの適合性を指している。したがって、相性の合わない光ディスク記録再生装置での使用は避ける必要がある。【００６９】
なお、ドライブ相性情報は、フォーマットの異なる層ごとに固有の情報であり、光ディスク製造者が記録すべき情報なので、ピットやウォブルなど再生のみが可能な形態で記録される。【００７０】
図９は、ドライブ相性情報の一例を示す図である。【００７１】
ＤＤ＿ＩＤは、光ディスク記録再生装置がドライブ相性情報を識別するための識別子である。本実施形態では、ＤＤ＿ＩＤとして文字列“ＤＤ”を用いている。【００７２】
Ｎ＿ＬＩＳＴは、ドライブ相性情報に登録されている光ディスク記録再生装置の数である。ＤＲＩＶＥ  １〜ＤＲＩＶＥ  Ｎは、光ディスク記録再生装置を識別するための情報であり、光ディスク記録再生装置の製造者および光ディスク記録再生装置の型番などの情報を含む。ＡＣＴＩＯＮ  １〜ＡＣＴＩＯＮ  Ｎは、ＤＲＩＶＥ  １〜ＤＲＩＶＥ  Ｎに登録されている各光ディスク記録再生装置が実行すべき動作が、規定されている。具体的には、記録または再生の禁止および許可などの情報が含まれている。また、光ディスクが回転し続けると光ディスクの破壊につながる場合には、ＡＣＴＩＯＮ  １〜ＡＣＴＩＯＮ  Ｎに、光ディスクの排出を指示する情報が記録されていてもよい。すなわちドライブ相性情報とは、光ディスク記録再生装置を識別するための識別情報と、光ディスク記録再生装置に対して記録層が許容する動作を該識別情報と関連づけて規定する動作情報とを含むものである。以上より、光ディスク記録再生装置は、ドライブ相性情報に従って、光ディスク１に対して適切な動作を実行するように制御される。【００７３】
Ｌ０層には、Ｌ０層以外の記録層のドライブ相性情報を記録するためのドライブ相性情報記録領域１７が設けられている。ドライブ相性情報記録領域１７は、そこに記録される情報がドライブ相性情報である点以外の特徴は、実施の形態１に示したアクセス制御情報記録領域１４と同じである。【００７４】
光ディスク１のＬ０層には、ＤＤ１を記録するためのドライブ相性情報記録領域１７が設けられているため、Ｌ１層のドライブ相性情報領域１６から読み取ったＤＤ１を、ドライブ相性情報記録領域１７に記録させることができる。たとえば、光ディスク１が光ディスク記録再生装置に最初に挿入されたときに、ＤＤ１がＬ１層から読み取られ、読み取ったＤＤ１をＬ０層のドライブ相性情報記録領域１７に記録される。Ｌ０層にＤＤ１の情報が記録された後は、Ｌ０層に記録されたＤＤ１を読み取ればよく、Ｌ１層に記録されているＤＤ１を読み取る必要がない。これにより、光ディスク記録再生装置が各記録層のドライブ相性情報を読み取る際に、層間ジャンプおよびシーク動作が不要となる。そのため、短時間で、各記録層のドライブ相性情報を読み取ることが可能となる。特に、光ディスク記録再生装置に光ディスクが挿入されたときに、常にＬ０層を最初に読み取るようにしておけば、挿入直後に最初に読み取るＬ０層に全てのドライブ相性情報が存在するので、この効果はより顕著なものとなる。【００７５】
〔実施の形態３〕
本発明に係る記録再生装置および情報記録方法の一実施形態について、図１、図６、および図７に基づいてすれば、以下の通りである。なお、本実施の形態において説明すること以外の構成は、実施の形態１と同じであり、その説明を省略する。【００７６】
図６は、図１に示す光ディスク１に対して記録再生をおこなう、光ディスク記録再生装置（記録再生装置）１０の構成の概要を示すブロック図である。【００７７】
図６に示すように、光ディスク記録再生装置１０は、ピックアップ２（判定手段、記録手段）、再生回路３（判定手段）、復号回路４（判定手段）、記録・再生制御回路５（判定手段、記録手段）、サーボ回路６（記録手段）および制御回路７（判定手段、記録手段）を備えている。【００７８】
光ディスク１は、書き込み可能な記録層であるＬ０層と再生専用層であるＬ１層との２層を有する光ディスクである。情報は、ピックアップ２から光ディスク１に照射されるレーザ光により記録および再生される。【００７９】
ピックアップ２は、光ディスク１に情報を記録するためのレーザ光、および光ディスク１の情報を再生するためのレーザ光を、光ディスク１に対して照射するものである。ピックアップ２により読み出された情報は、再生回路３に送られる。【００８０】
再生回路３は、ピックアップ２により読み出された再生信号の振幅を調整し、所定のフィルタリング処理をおこなうものである。再生回路３の出力は、復号回路４へ送られる。【００８１】
復号回路４は、再生回路３の出力を所定の方法により復号処理し、「１」または「０」の２つのレベルを持つ２値化データに変換する回路である。復号処理の方法としては、種々のものが考案されているが、ＰＲＭＬ（Ｐａｒｔｉａｌ  Ｒｅｓｐｏｎｓｅ  Ｍａｘｉｍｕｍ  Ｌｉｋｅｌｉｈｏｏｄ）復号を用いることが好ましい。ＰＲＭＬ復号は、記録密度の高い光ディスクの再生に適している。ＰＲＭＬ復号では、高密度化による符号間干渉を仮定して復号処理をおこなうので、符号間干渉により信号品質の劣化した再生信号であっても復号が可能である。復号回路４の出力は、制御回路７に送られるとともに、外部に出力される。【００８２】
制御回路７は、復号回路４の出力に基づいて、サーボ回路６、および記録・再生制御回路５に指令を送る回路である。制御回路７は、ＣＰＵ（中央処理装置）、プログラムを格納したＲＯＭ、および制御処理に必要なＲＡＭなどを有している。【００８３】
サーボ回路６は、制御回路７の指令に基づいて、フォーカス、トラッキング、シーク制御および層間ジャンプなどのピックアップ２の制御を実行するための回路である。【００８４】
記録・再生制御回路５は、制御回路７の指令に基づいて、光ディスク１への記録、および光ディスク１の再生を実行するための回路である。【００８５】
次に、光ディスク記録再生装置１０の機能の概要について説明する。光ディスク記録再生装置１０は、複数の記録層を有しており、複数の記録層のうち少なくとも一つは書き込み可能な記録層であり、複数の記録層の各々には、当該記録層に対して許容され記録再生の動作を規定している制御情報が記録されている、実施の形態１に示した光ディスク１の記録再生装置として好適な構成である。また、アクセス制御情報の読み取り、および記録処理の手段として、光ディスク記録再生装置１０は、光ディスク１の書き込み可能な記録層であるＬ０層にＬ０層とは異なる記録層であるＬ１層のアクセス制御情報が記録されているか否かを判定する、ピックアップ２、再生回路、復号回路４、記録・再生制御回路５および制御回路７を備えており、また、Ｌ１層のアクセス制御情報がＬ０層に記録されていない場合にＬ１層のアクセス制御情報をＬ０層に記録する、ピックアップ２、記録・再生制御回路５、サーボ回路６および制御回路７を備えている。【００８６】
次に、光ディスク記録再生装置１０の光ディスク１に対するアクセス制御情報の読み取りおよび記録処理について、図１、図６および図７を用いて説明する。【００８７】
図７は、光ディスク記録再生装置１０の光ディスク１に対するアクセス制御情報の読み取りおよび記録処理、ならびに情報記録方法に関するフローチャートである。アクセス制御情報の読み取りは、光ディスク１が、光ディスク記録再生装置１０に挿入されたときに実行される。【００８８】
まずステップＳ１では、光ディスク１のシステム情報領域１１へのシークをおこない、Ｓ２に進む。シーク動作は、制御回路７の指令により、サーボ回路６を介して、ピックアップ２を移動させることによって実行される。なお、システム情報は、上述したように、光ディスク１のＬ０層およびＬ１層の両方に同一の情報が記録されているが、短時間で読み取るためには、Ｌ０層に記録されているシステム情報を最初に読み取ることが好ましい。【００８９】
ステップＳ２では、システム情報を読み取り、ステップＳ３に進む。読み取り動作は、ピックアップ２からの再生信号を再生回路３において処理した後、復号回路４において復号することにより実行される。また、復号結果は制御回路７に送られ、制御回路７はシステム情報の内容を認識する。また、システム情報は、制御回路７に含まれるＲＡＭ（ｒａｎｄｏｍ  ａｃｃｅｓｓ  ｍｅｍｏｒｙ）に一時的に保存される。【００９０】
ステップＳ３では、制御回路７が、読み取ったシステム情報に含まれるフォーマット情報から、Ｌ０層のフォーマットとＬ１層のフォーマットとが互いに異なるか否かを判断（判定）する。Ｌ０層のフォーマットとＬ１層のフォーマットとが同一である場合には、アクセス制御情報も同一である。そのため、フォーマットが同一であると判断した場合には、処理を終了し「ＥＮＤ」とする。一方、Ｌ０層のフォーマットとＬ１層のフォーマットとが互いに異なると判断した場合には、ステップＳ４に進む。【００９１】
ステップＳ４では、制御回路７が、Ｌ０層のアクセス制御情報記録領域１４に記録されている情報の読み取りをおこない（判定工程）、ステップＳ５に進む。【００９２】
ステップＳ５では、制御回路７が、アクセス制御情報記録領域１４から読み取った情報を用いて、アクセス制御情報記録領域１４にＡＣ１が記録されているか否かを判断（判定）する（判定工程）。上述したＡＣ＿ＩＤ、Ｕ＿ＡＣＴＩＯＮ、およびＡＣＴＩＯＮなどのアクセス制御情報に含まれる内容が記録されているか否かにより、制御回路７は判断が可能である。アクセス制御情報記録領域にＡＣ１が記録されていると判断した場合には、読み取り処理を終了し、「ＥＮＤ」となる。それ以降は読み取ったＡＣ１により、制御回路７は、Ｌ１層に対してのアクセス制御をおこなうことができる。一方、アクセス制御情報記録領域１４にＡＣ１が記録されていないと判断した場合には、ステップＳ６に進む。【００９３】
ステップＳ６では、光スポットのＬ０層からＬ１層への層間ジャンプをおこない、ＡＣ１が記録されているアクセス制御情報領域１３にシークし（記録工程）、ステップＳ７に進む。【００９４】
ステップＳ７では、Ｌ１層のアクセス制御情報領域１３から、Ｌ１層のＡＣ１を読み取り（記録工程）、ステップＳ８に進む。【００９５】
ステップＳ８では、光スポットのＬ１層からＬ０層への層間ジャンプをおこない、Ｌ０層のアクセス制御情報記録領域１４にシークし（記録工程）、ステップＳ９に進む。【００９６】
ステップ９において、ステップＳ７において読み取ったＡＣ１を、Ｌ０層のアクセス制御情報記録領域１４に記録し（記録工程）、「ＥＮＤ」となる。ＡＣ１の記録は、制御回路７の指令に基づき、記録・再生制御回路５が所定の記録信号をピックアップ２に出力することにより実行される。具体的には、制御回路７は、記録すべきＡＣ１の情報を記録・再生制御回路５に与える。記録・再生制御回路５は、これらの情報を、パルス列に変換する。ピックアップ２では、これらのパルス列に基づいて、ピックアップ２に含まれるレーザを発光させる。【００９７】
なお、Ｌ０層のアクセス制御情報であるＡＣ０は、ステップＳ２において、システム情報を読み取った後に読み取られる。【００９８】
以上の処理により、Ｌ０層のアクセス制御情報記録領域１４にＡＣ１が記録されていない場合には、Ｌ１層のアクセス制御情報領域１３に記録されているＡＣ１を読み取り、Ｌ０層のアクセス制御情報記録領域１４にＡＣ１を記録する。これにより、Ｌ１層のアクセス制御情報がＬ０層に記録されている光ディスクを作製することができる。これ以降、光ディスク１を使用する際には、Ｌ１層に層間ジャンプすることなくＬ１層のアクセス制御情報を読み取ることができ、Ｌ１層に対して適切なアクセス制御が可能となる。【００９９】
Ｌ０層は書換え可能な記録層なので、一旦使用した後に、Ｌ０層に記録された情報を初期化する、いわゆる再フォーマッティングをおこなう場合がある。この場合には、Ｌ０層に記録されたＡＣ１の消去および変更をおこなわないことが好ましい。再フォーマッティング時に、Ｌ０層のＡＣ１を消去または変更してしまうと、再フォーマッティング後に、改めてＬ１層のＡＣ１を読み取り、Ｌ０層に記録するという処理をおこなわなければならない。しかし再フォーマッティング時に、ＡＣ１の消去および変更をおこなわなければ、このような処理を省略することができる。【０１００】
本実施の形態においては、２つの記録層を有する光ディスク１に対しておこなう記録方法ついて説明したが、３つ以上の記録層を有する光ディスクに対しても適用可能である。この場合にも、各層のアクセス制御情報を、対応するＬ０層のアクセス制御情報記録領域に記録すればよい。それにより、各層のアクセス制御情報がＬ０層に記録されている光ディスクを作製することができる。【０１０１】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０１０２】
（付記事項）
なお、本発明の情報記録媒体は、以下の点を特徴点としていると換言することも可能である。すなわち、フォーマットの異なる複数の記録層に、それぞれの記録層に関する制御情報が記録されている情報記録媒体であって、前記複数の記録層から選択された一つの記録層に他の記録層の前記制御情報を記録する領域が配置されていることを特徴としていると換言することができる。【０１０３】
以上のように、本発明の情報記録媒体は、複数の記録層を有する情報記録媒体であって、各記録層にはその記録層に対して許容される記録再生装置の動作を規定している制御情報が記録されており、書き込み可能な記録層である第１の記録層には、第１の記録層とはフォーマットが異なる第２の記録層に記録されている制御情報を記録する制御情報記録領域が設けられているものである。【０１０４】
また、本発明の記録再生装置は、複数の記録層を有する情報記録媒体の記録再生装置であって、書き込み可能な記録層である第１の記録層に、第１の記録層とはフォーマットが異なる第２の記録層の制御情報が記録されているか否かを判定する判定手段と、第２の記録層の制御情報が、第１の記録層に記録されていない場合に、第２の記録層の制御情報を、第１の記録層に記録する記録手段とを備えているものである。【０１０５】
また、本発明の情報記録方法は、複数の記録層を有する情報記録媒体の制御情報についての記録をおこなう情報記録方法であって、書き込み可能な記録層である第１の記録層に、第１の記録層とはフォーマットが異なる第２の記録層の制御情報が記録されているか否かを判定する判定工程と、第２の記録層の制御情報が、第１の記録層に記録されていない場合に、第２の記録層の制御情報を、第１の記録層に記録する記録工程とを含んでいる方法である。【０１０６】
以上の構成および方法によれば、書き込み可能な第１の記録層に、第１の記録層とは異なる第２の記録層の制御情報を記録させることができるので、第１の記録層の情報を読み取るだけで、第２の記録層の制御情報を読み取ることができ、複数層の制御情報の読み取りにかかる時間を短縮することができる。【０１０７】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１０８】
本発明は、光ディスク、および磁気ディスクなどの各種情報を記録する情報記録媒体であり、複数の異なるフォーマット層を有するものに適用することができる。
【図１】
2009044725.tif 000003
【図２】
2009044725.tif 000004
【図３】
2009044725.tif 000005
【図４】
2009044725.tif 000006
【図５】
2009044725.tif 000007
【図６】
2009044725.tif 000008
【図７】
2009044725.tif 000009
【図８】
2009044725.tif 000010
【図９】
2009044725.tif 000011
【図１０】
2009044725.tif 000012
【図１１】
2009044725.tif 000013
【国際調査報告】
2009044725.tif 000014
2009044725.tif 000015